(57)【要約】【課題】コンパクト化を図ることができる表示素子、及びこれを用いた電気機器を提供する。【解決手段】表示素子としての液晶パネルを表示部に用いた液晶表示装置において、表示面の有効表示領域を覆うように設けられた偏光板（被支持部）を支持するとともに、一対の基板としてのＣＦ基板４及びアレイ基板５を設ける。また、ＣＦ基板４に対し、アレイ基板５の周縁部に実装された駆動用ＩＣ（電気部品）１５及びＦＰＣ８（電気部品）をそれぞれ収容可能な収容空間４ａ及び４ｂを設ける。【選択図】図２
2007334133.tif 000002
【特許請求の範囲】
【請求項１】
複数の画素を有する表示面を具備した表示素子であって、
互いに対向して配置された一対の基板と、
前記一対の少なくとも一方の基板に対して、前記表示面の有効表示領域を覆うように設けられて、当該基板に支持される被支持部と、
前記一対の基板のうち、一方の基板の周縁部に実装されるとともに、前記表示面を画素単位に駆動する電気部品とを備え、
前記一対の他方の基板には、前記電気部品を収容可能な収容空間が設けられていることを特徴とする表示素子。
【請求項２】
前記一対の基板の間に封入された液晶層を備えるとともに、
前記被支持部には、偏光板が含まれている請求項１に記載の表示素子。
【請求項３】
前記被支持部には、タッチパネルが含まれている請求項１または２に記載の表示素子。
【請求項４】
前記収容空間は、前記表示面を画素単位に駆動する駆動用ＩＣと、前記駆動用ＩＣに接続されたＦＰＣの端部とを一体的に収容可能に構成されている請求項１〜３のいずれか１項に記載の表示素子。
【請求項５】
前記収容空間は、前記他方の基板を厚さ方向に貫通することによって形成されている請求項１〜４のいずれか１項に記載の表示素子。
【請求項６】
前記他方の基板には、ケースを支持する支持領域が設定されている請求項１〜５のいずれか１項に記載の表示素子。
【請求項７】
前記基板には、合成樹脂が用いられている請求項１〜６のいずれか１項に記載の表示素子。
【請求項８】
文字及び画像を含んだ情報を表示する表示部を備えた電気機器であって、
前記表示部に、請求項１〜７のいずれか１項に記載の表示素子を使用したことを特徴とする電気機器。
【発明の詳細な説明】
【技術分野】
【０００１】
本発明は、文字及び画像を含んだ情報を表示する表示部に使用される表示素子、及びこれを用いた電気機器に関する。
【背景技術】
【０００２】
近年、例えば液晶表示装置は、在来のブラウン管に比べて薄型、軽量などの特長を有するフラットパネルディスプレイとして、液晶テレビ、モニター、携帯電話などに幅広く利用されている。このような液晶表示装置には、光を発光するバックライト装置と、バックライト装置に設けられた光源からの光に対しシャッターの役割を果たすことで所望画像を表示する表示素子としての液晶パネルとが含まれている。
【０００３】
また、上記のような従来の表示素子には、互いに対向して配置された一対の基板と、これらの基板にて狭持された液晶層とが設けられており、表示面を画素単位に駆動することで画像表示を行うようになっている。
【０００４】
具体的には、従来の表示素子は、例えば下記特許文献１に記載されているように、ＴＦＴ等の能動素子が画素単位に設けられたアレイ基板と、カラーフィルタが形成されるとともに、液晶層を狭持した状態でアレイ基板に対向配置されたＣＦ基板とを備えている。また、この従来の表示素子では、ＣＦ基板の外形寸法よりもアレイ基板の外形寸法を大きくすることにより、当該アレイ基板の周縁部に上記能動素子を駆動する駆動用ＩＣなどの電気部品の実装スペースを確保していた。そして、従来の表示素子では、駆動用ＩＣを介在させて能動素子を画素単位に駆動することにより、所望画像を表示面に表示していた。
【特許文献１】特開平８−３３４７７８号公報
【発明の開示】
【発明が解決しようとする課題】
【０００５】
ところで、上記のような従来の表示素子では、例えば偏光板がアレイ基板及びＣＦ基板の各々の外側表面に対して、貼り付けられて支持されるようになっている。
【０００６】
ところが、従来の表示素子では、アレイ基板の外形寸法をＣＦ基板の外形寸法よりも大きくして、これらのアレイ基板とＣＦ基板との外形寸法を互いに相違させていた。このため、従来の表示素子では、偏光板の外形公差やその貼り付け公差等の寸法公差に起因して、表示素子のコンパクト化が困難であるという問題点があった。
【０００７】
具体的にいえば、図７に例示するように、従来の表示素子では、ＣＦ基板５１とアレイ基板５２とが互いに対向して配置されており、アレイ基板５２はＣＦ基板５１よりも同図にＰ１にて示す長さ寸法だけ長くなるように構成されて、外形寸法がＣＦ基板５１のものより大きくされている。また、この長さ寸法Ｐ１は、アレイ基板５２上に設置される駆動用ＩＣ５３及びこれに接続されたＦＰＣ５４の当該アレイ基板５２上に実装するために必要な寸法に応じて定められるものであり、上記実装スペースの寸法として確保されている。
【０００８】
また、ＣＦ基板５１の外側表面には、偏光板５５が表示面の有効表示領域を覆うように、貼り付けられている。さらに、従来の表示素子では、表示面側のＣＦ基板５１に対してケース５６が載置されており、当該ＣＦ基板５１の外側表面にて偏光板５５及びケース５６が支持されている。それ故、この従来の表示素子では、ＣＦ基板５１及びアレイ基板５２の各々において、上記有効表示領域での図７の左右方向の寸法に対して、偏光板５５の外形公差及びその貼り付け公差を含んだ偏光板５５の寸法公差で規定される長さ寸法Ｐ２を加算（考慮）する必要があった。
【０００９】
また、従来の表示素子では、ＣＦ基板５１及びアレイ基板５２の外形寸法が互いに異なるため、これら基板５１、５２の製造公差及び組付公差と上記長さ寸法Ｐ２とにより規定される長さ寸法Ｐ３を有効表示領域での左右方向の寸法に加算する必要があった。さらには、図７に例示したように、ケース５６をＣＦ基板５１に載置する場合には、その載置する長さ寸法Ｐ４を上記の左右方向の寸法に加算するだけでなく、偏光板５５とケース５６との間の離間寸法を上記長さ寸法Ｐ３に含める必要があった。
【００１０】
以上のように、従来の表示素子では、ＣＦ基板５１及びアレイ基板５２の各々において、上記有効表示領域での左右方向の寸法に対して、少なくとも偏光板（被支持部）５５の寸法公差で規定される上記長さ寸法Ｐ２を考慮する必要があった。すなわち、従来の表示素子では、ＣＦ基板５１及びアレイ基板５２のうち、当該表示素子の外形寸法が決定されるアレイ基板５２において、有効表示領域での左右方向の寸法に対して上記長さ寸法Ｐ１とは別個に少なくとも長さ寸法Ｐ２を加算する必要があった。この結果、従来の表示素子では、その外形寸法を小さくすることが難しく、コンパクト化を行い難かった。
【００１１】
上記の課題に鑑み、本発明は、コンパクト化を図ることができる表示素子、及びこれを用いた電気機器を提供することを目的とする。
【課題を解決するための手段】
【００１２】
上記の目的を達成するために、本発明にかかる表示素子は、複数の画素を有する表示面を具備した表示素子であって、
互いに対向して配置された一対の基板と、
前記一対の少なくとも一方の基板に対して、前記表示面の有効表示領域を覆うように設けられて、当該基板に支持される被支持部と、
前記一対の基板のうち、一方の基板の周縁部に実装されるとともに、前記表示面を画素単位に駆動する電気部品とを備え、
前記一対の他方の基板には、前記電気部品を収容可能な収容空間が設けられていることを特徴とするものである。
【００１３】
上記のように構成された表示素子では、上記他方の基板に、一方の基板の周縁部に実装された電気部品を収容可能な収容空間を設けている。これにより、上記従来例と異なり、同じ外形寸法の基板を一対の各基板に用いることができ、上記被支持部の寸法公差などによって基板を大きくする必要がない。従って、上記従来例と異なり、表示素子のコンパクト化を図ることができる。
【００１４】
また、上記表示素子において、前記一対の基板の間に封入された液晶層を備えるとともに、
前記被支持部には、偏光板が含まれていることが好ましい。
【００１５】
この場合、コンパクトな液晶パネルを容易に構成することができる。
【００１６】
また、上記表示素子において、前記被支持部には、タッチパネルが含まれてもよい。
【００１７】
この場合、タッチパネルによる情報入力機能が与えられた高機能でコンパクトな表示素子を容易に構成することができる。
【００１８】
また、上記表示素子において、前記収容空間は、前記表示面を画素単位に駆動する駆動用ＩＣと、前記駆動用ＩＣに接続されたＦＰＣの端部とを一体的に収容可能に構成されていることが好ましい。
【００１９】
この場合、駆動用ＩＣを収容可能な収容空間と、ＦＰＣの端部を収容可能な収容空間とを別々に設ける場合に比べて、上記他方の基板を容易に製造することが可能となる。
【００２０】
また、上記表示素子において、前記収容空間は、前記他方の基板を厚さ方向に貫通することによって形成されてもよい。
【００２１】
この場合、電気部品が他方の基板に接触するのを防ぐことが可能となり、基板との接触による損傷が電気部品に生じるのを確実に防ぐことができる。
【００２２】
また、上記表示素子において、前記他方の基板には、ケースを支持する支持領域が設定されていることが好ましい。
【００２３】
この場合、ケースの支持強度を容易に向上させることができ、ケースに対する外部圧力の影響を簡単に軽減することが可能となる。
【００２４】
また、上記表示素子において、前記基板には、合成樹脂が用いられてもよい。
【００２５】
この場合、高精度な収容空間を容易に、かつコスト安価に形成することができる。
【００２６】
また、本発明の電気機器は、文字及び画像を含んだ情報を表示する表示部を備えた電気機器であって、
前記表示部に、上記いずれかの表示素子を使用したことを特徴とするものである。
【００２７】
上記のように構成された電気機器では、コンパクト化された表示素子にて上記表示部が構成されているので、コンパクトな電気機器を容易に構成することができる。
【発明の効果】
【００２８】
本発明によれば、コンパクト化を図ることができる表示素子、及びこれを用いた電気機器を提供することが可能となる。
【発明を実施するための最良の形態】
【００２９】
以下、本発明の表示素子、及びこれを用いた電気機器の好ましい実施形態について、図面を参照しながら説明する。なお、以下の説明では、本発明を液晶表示装置の液晶パネルに適用して当該液晶表示装置の表示部を構成した場合を例示して説明する。
【００３０】
［第１の実施形態］
図１は、本発明の第１の実施形態にかかる表示素子、及び液晶表示装置を説明する図である。図１において、本実施形態の液晶表示装置１は、本発明の表示素子を用いて構成されるとともに、図１の上側が視認側（表示面側）として設置される液晶パネル２と、液晶パネル２の非表示面側（図１の下側）に配置されて、当該液晶パネル２を照明する照明光を発生するバックライト装置３とが設けられている。
【００３１】
液晶パネル２は、一対の基板を構成するＣＦ（Color Filter）基板４及びアレイ基板５と、ＣＦ基板４及びアレイ基板５の各外側表面にそれぞれ設けられた偏光板６、７とを備えている。ＣＦ基板４とアレイ基板５との間には、図示を省略した液晶層が狭持されている。偏光板６、７には、厚さ１５０〜４５０μｍ程度の透明で可撓性に優れたＴＡＣ（トリアセチルセルロース）またはＰＶＡ（ポリビニルアルコール）などの樹脂フィルムが使用されており、液晶パネル２に設けられた表示面の有効表示領域を少なくとも覆うように対応するＣＦ基板４またはアレイ基板５に貼り合わせられている。
【００３２】
また、アレイ基板５は、上記一対の基板の一方の基板を構成するものであり、アレイ基板５では、液晶パネル２の表示面に含まれる複数の画素に応じて、画素電極やＴＦＴ（Thin Film Transistor）などが上記液晶層との間に形成されている（図示せず）。一方、ＣＦ基板４は、一対の基板の他方の基板を構成するものであり、ＣＦ基板４には、カラーフィルタや対向電極などが上記液晶層との間に形成されている（図示せず）。
【００３３】
また、ＣＦ基板４及びアレイ基板５には、平板状のアクリル樹脂などの透明な合成樹脂が使用されている。また、ＣＦ基板４及びアレイ基板５では、後に詳述するように、ＣＦ基板４側にアレイ基板５に実装された電気部品を収容する収容空間を設けることにより、これらのＣＦ基板４及びアレイ基板５を同一の外形寸法としている。
【００３４】
また、液晶パネル２では、当該液晶パネル２の駆動制御を行う制御装置（図示せず）に接続されたＦＰＣ（Flexible Printed Circuit）８が設けられており、上記液晶層を画素単位に動作することで表示面を画素単位に駆動して、当該表示面上に所望画像を表示するようになっている。
【００３５】
バックライト装置３は、光源としての冷陰極管９と、冷陰極管９に対向して配置された導光板１０とを備えている。また、バックライト装置３では、断面Ｌ字状のベゼル１４により、導光板１０の上方に液晶パネル２が設置された状態で、冷陰極管９及び導光板１０が狭持されている。また、ＣＦ基板４には、ケース１１が載置されている。これにより、バックライト装置３は、液晶パネル２に組み付けられて、当該バックライト装置３からの照明光が液晶パネル２に入射される透過型の液晶表示装置１として一体化されている。
【００３６】
導光板１０には、例えば透明なアクリル樹脂などの合成樹脂が用いられており、冷陰極管９からの光が入光される。導光板１０の液晶パネル２と反対側（対向面側）には、反射シート１２が設置されている。また、導光板１０の液晶パネル２側（発光面側）には、レンズシートや拡散シートなどの光学シート１３が設けられており、導光板１０の内部を所定の導光方向（図１の左側から右側への方向）に導かれた冷陰極管９からの光が均一な輝度をもつ平面状の上記照明光に変えられて液晶パネル２に与えられる。
【００３７】
以下、図２及び図３も参照して、ＣＦ基板４及びアレイ基板５について、詳細に説明する。
【００３８】
図２は、上記表示素子の要部構成を示す斜視図である。図３（ａ）は図２のIIIａ−IIIａ線断面図であり、図３（ｂ）は図２のIIIｂ−IIIｂ線断面図である。
【００３９】
図２及び図３に例示するように、アレイ基板５では、その四辺のうち、例えば一辺の縁部に、表示面を画素単位に駆動する電気部品としての上記ＦＰＣ８の端部及び駆動用ＩＣ（Integrated Circuit）１５が実装されている。駆動用ＩＣ１５は、ＦＰＣ８と上記液晶層内のＴＦＴや画素電極などとの間に接続されて、表示画像に応じてＴＦＴなどを画素単位に駆動するように構成されている。
【００４０】
一方、ＣＦ基板４には、駆動用ＩＣ１５及びＦＰＣ８の端部にそれぞれ応じて、収容空間としての貫通部４ａ及び切り欠き部４ｂが設けられている。これら貫通部４ａ及び切り欠き部４ｂは、アレイ基板５上の駆動用ＩＣ１５の実装位置及びＦＰＣ８の端部の実装位置にそれぞれ一致するよう、ＣＦ基板４を厚さ方向に貫通することによって形成されており、当該ＣＦ基板４とアレイ基板５とが互いに貼り合わせられたときに、貫通部４ａ及び切り欠き部４ｂは、対応する駆動用ＩＣ１５及びＦＰＣ８の端部を収容するようになっている。
【００４１】
詳細には、貫通部４ａは、駆動用ＩＣ１５の大きさや実装精度などに応じて、ケミカルエッチングや機械的エッチングを用いて、ＣＦ基板４を直方体状にくり貫くことによって形成されている。同様に、切り欠き部４ｂは、ＦＰＣ８の端部の大きさや実装精度などに応じて、ケミカルエッチングなどを用いて、凹状にくり貫くことによって形成されている。そして、ＣＦ基板４では、図２に示したように、アレイ基板５との間に液晶層が封入された状態で当該アレイ基板５と一体化されたときに、貫通部４ａ及び切り欠き部４ｂは駆動用ＩＣ１５及びＦＰＣ８の端部をそれぞれ収容する。また、このように、ＣＦ基板４では、駆動用ＩＣ１５及びＦＰＣ８の端部を収容可能な貫通部４ａ及び切り欠き部４ｂを設けることにより、アレイ基板５と同一の外形寸法のものが使用可能となっている。
【００４２】
また、ＣＦ基板４では、図３に二点鎖線にて示すように、偏光板６の端部が駆動用ＩＣ１５を収容した貫通部４ａを閉塞するように、当該ＣＦ基板４の外側表面に貼り付けられている。さらに、ケース１１の端部がＦＰＣ８の端部を収容した切り欠き部４ｂの上方でＣＦ基板４の外側表面に支えられている。
【００４３】
詳細には、偏光板６の端部は、切り欠き部４ｂ周囲に残された角柱状の柱部４ｃ、４ｄ、及び貫通部４ａと切り欠き部４ｂとの間に残された断面角柱状の柱部４ｅの各表面上に貼り付けられている。一方、ケース１１の端部は、支持領域として設定されている、上記柱部４ｃ、４ｄの各表面上に載置されて支持されている。
【００４４】
以上のように構成された本実施形態では、ＣＦ基板（他方の基板）４に、収容空間としての貫通部４ａ及び切り欠き部４ｂを設けるとともに、アレイ基板（一方の基板）５の縁部に実装された電気部品としての駆動用ＩＣ１５及びＦＰＣ８の端部を貫通部４ａ及び切り欠き部４ｂに収容させている。これにより、上記従来例と異なり、同じ外形寸法の基板を一対のＣＦ基板４及びアレイ基板５の各基板に用いることができ、偏光板６、７（被支持部）の寸法公差などによりＣＦ基板４及びアレイ基板５の各基板を大きくする必要がない。この結果、本実施形態では、上記従来例と異なり、液晶パネル（表示素子）２のコンパクト化を図ることが可能となる。また、このように、本実施形態では、液晶パネル２のコンパクト化を図ることができるので、液晶表示装置（電気機器）１の小型化を容易に図ることができる。
【００４５】
具体的にいえば、例えば図４に示すように、ＣＦ基板４及びアレイ基板５では、駆動用ＩＣ１５及びＦＰＣ８をアレイ基板５上に実装するために必要な寸法に応じて、長さ寸法Ｌ１が各端部から設定されて、これら電気部品の実装スペースとして確保されている。また、図４にＬ２にて示す長さ寸法は、液晶層の封止スペースに応じて決定される寸法である。すなわち、長さ寸法Ｌ２は、ＣＦ基板４とアレイ基板５との間で、表示面の有効表示領域の外側で枠状に設けられることにより、液晶層をシールする封止部材の設置に要する寸法を基に決定されている。
【００４６】
また、本実施形態では、図７に示した従来例と異なり、ＣＦ基板４及びアレイ基板５が同一の外形寸法の基板にて構成されているので、上記従来例と異なり、偏光板６、７の寸法公差をＣＦ基板４及びアレイ基板５の各基板寸法に考慮する必要がない。すなわち、図４に例示するように、本実施形態では、従来例と異なり、有効表示領域の図の左右方向の寸法よりも大きい寸法を有する偏光板６を使用することができる。
【００４７】
言い換えれば、本実施形態では、貫通部４ａ及び切り欠き部４ｂに駆動用ＩＣ１５及びＦＰＣ８の端部が収容されているので、ＣＦ基板４及びアレイ基板５の各外側表面を対応する偏光板６、７の貼り付けスペースとして利用することができる。この結果、偏光板（被支持部）６、７の寸法公差により、ＣＦ基板４及びアレイ基板５を大きくする必要がなくなり、液晶パネル２のコンパクト化を行うことができる。
【００４８】
これに対して、従来例では、図７に示したように、有効表示領域での左右方向の寸法に対して、少なくとも偏光板（被支持部）５５の寸法公差で規定される長さ寸法Ｐ２を、駆動用ＩＣ５３等の実装用寸法Ｐ１とは別個に加える必要があり、ＣＦ基板５１及びアレイ基板５２の各基板を大きくする必要があった。
【００４９】
さらに、本実施形態では、上記従来例と異なり、ＣＦ基板４上にケース１１の端部を載せる場合でも、当該端部の寸法及び偏光板６とケース１１との離間寸法の各設計寸法と偏光板６とケース１１との離間公差とで規定される長さ寸法Ｌ３を確保すればよい。また、この長さ寸法Ｌ３は、図４に示すように、偏光板６の寸法などを変更することにより、上記長さ寸法Ｌ１内に収めること（含ませること）ができ、ＣＦ基板４及びアレイ基板５の各基板寸法を大きくする必要がない。
【００５０】
尚、上記の説明以外に、ケース１１の端部をＣＦ基板４の柱部４ｃ、４ｄ上に載せることなく、液晶パネル２を構成することも可能である。しかしながら、本実施形態のように、支持領域としての柱部４ｃ、４ｄの各表面を設定して、ケース１１の端部を載せて支持させる場合の方が、液晶パネル２において、ケース１１の支持強度を容易に向上させることができ、ケース１１に対する外部圧力の影響を簡単に軽減することが可能となる点で好ましい。
【００５１】
［第２の実施形態］
図５は、本発明の第２の実施形態にかかる表示素子を用いた液晶表示装置の要部構成を説明する説明図である。図において、本実施形態と上記第１の実施形態との主な相違点は、基板に支持される被支持部にタッチパネルを含めた点である。尚、上記第１の実施形態と共通する要素については、同じ符号を付して、その重複した説明を省略する。
【００５２】
つまり、図５に示すように、本実施形態では、ＣＦ基板４上の偏光板６の上方には、例えば抵抗膜式のタッチパネル１６が設置されており、当該ＣＦ基板４にて支持されるようになっている。詳細にいえば、タッチパネル１６には、透明な下側抵抗膜１６ａと、下側抵抗膜１６ａに対向して配置されるとともに、ユーザに押圧操作される透明な上側抵抗膜１６ｂとが設けられており、下側抵抗膜１６ａが偏光板６の全面を覆うように、当該偏光板６に貼り付けられることにより、タッチパネル１６はＣＦ基板４にて支持されている。
【００５３】
また、タッチパネル１６では、下側抵抗膜１６ａと上側抵抗膜１６ｂとの間に、透明なドットスペーサ１６ｃが複数形成されており、下側抵抗膜１６ａ及び上側抵抗膜１６ｂが常時互いに接触するのを確実に防止したり、上記押圧操作を円滑、かつ高精度に検出したりすることができるようになっている。
【００５４】
以上の構成により、本実施形態では、偏光板６及びタッチパネル１６（被支持部）を支持するＣＦ基板４には、貫通部４ａ及び切り欠き部４ｂが設けられており、アレイ基板５と同一の外形寸法のＣＦ基板４が使用されている。これにより、本実施形態では、上記第１の実施形態と同様に、コンパクトな液晶パネル２及び液晶表示装置１を構成することができる。
【００５５】
また、本実施形態では、ＣＦ基板４の上方にタッチパネル１６が支持されているので、当該タッチパネル１６による情報入力機能が与えられた高機能でコンパクトな液晶パネル２を容易に構成することができる。
【００５６】
尚、上記の説明では、抵抗膜式のタッチパネル１６をＣＦ基板４にて支持させる構成について説明したが、本実施形態のタッチパネルはこれに限定されるものではなく、静電容量式などの他の形式のタッチパネルを用いることもできる。
【００５７】
また、上記の説明では、偏光板６及びタッチパネル１６の順番でＣＦ基板４上に設けて支持させた構成について説明したが、逆の順番、すなわちＣＦ基板４上にタッチパネル１６を設けた後、その上方に偏光板１６を設置する構成でもよい。
【００５８】
［第３の実施形態］
図６は、本発明の第３の実施形態にかかる表示素子の要部構成を示す斜視図である。図において、本実施形態と上記第１の実施形態との主な相違点は、上記駆動用ＩＣ及びＦＰＣを一体的に収容可能な収容空間を設けた点である。尚、上記第１の実施形態と共通する要素については、同じ符号を付してその重複した説明を省略する。
【００５９】
つまり、図６に示すように、本実施形態では、ＣＦ基板４の端部には、収容空間としての凸状の切り欠き部４ｆが形成されている。この切り欠き部４ｆは、駆動用ＩＣ１５及びＦＰＣ８の端部の大きさや実装精度などに応じて、ケミカルエッチングなどを用いて、ＣＦ基板４を厚さ方向に貫通することによって形成されている。
【００６０】
言い換えれば、切り欠き部４ｆは、図２に示した貫通部４ａと切り欠き部４ｂとの間の柱部４ｅを切り欠いて、これら貫通部４ａと切り欠き部４ｂとを連通したものである。そして、切り欠き部４ｆでは、駆動用ＩＣ１５とＦＰＣ８の端部とを一体的に収容可能になっている。
【００６１】
以上の構成により、本実施形態では、上記第１の実施形態と同様な作用・効果を奏することができ、コンパクトな液晶パネル２及び液晶表示装置１を構成することができる。
【００６２】
また、本実施形態では、駆動用ＩＣ１５とＦＰＣ８の端部とを一体的に収容可能な切り欠き部（収容空間）４ｆを設けているので、貫通部４ａ及び切り欠き部４ｂを別個に設けた第１の実施形態に比べ、上記収容空間及びＣＦ基板４を容易に製造することができる。
【００６３】
尚、上記の各実施形態はすべて例示であって制限的なものではない。本発明の技術的範囲は特許請求の範囲によって規定され、そこに記載された構成と均等の範囲内のすべての変更も本発明の技術的範囲に含まれる。
【００６４】
例えば、上記の説明では、本発明を液晶表示装置の液晶パネルに適用して当該液晶表示装置の表示部を構成した場合について説明したが、本発明の表示素子はこれに限定されるものではなく、各種表示装置の表示部に適用することができる。
【００６５】
具体的には、上記透過型以外の半透過型や反射型などの他の形式の液晶パネルやプラズマディスプレイパネル（ＰＤＰ）などの表示装置の表示部に適用することができる。
【００６６】
また、本発明の表示素子は、表示装置に限定されるものではなく、画像、文字などの情報を表示する表示部を備えた電気機器であれば何等限定されない。
【００６７】
具体的にいえば、例えば電子手帳などのＰＤＡや携帯電話を含んだ携帯情報端末またはカーナビゲーションシステムなどの表示部に、本発明の表示素子を用いることができる。
【００６８】
また、上記の説明以外に発光ダイオード等の他の光源を用いたバックライト装置や直下型のバックライト装置を含んだ液晶表示装置に適用することができる。
【００６９】
また、上記の説明では、ＣＦ基板とアレイ基板とを有する表示素子を構成した場合について説明したが、本発明の表示素子は互いに対向して配置された一対の基板を具備するものであれば何等限定されるものではない。
【００７０】
例えば上記ＰＤＰを構成する場合は、表示面と垂直な方向で立体的に交差されるマトリックス状の一方及び他方の電極をそれぞれ設けた一方及び他方の基板を有する表示素子を用いることができる。
【００７１】
また、上記の説明では、偏光板及びタッチパネルのうち、少なくとも偏光板を含んだ被支持部を設けた構成について説明したが、本発明の被支持部は一対の少なくとも一方の基板に対して、表示面の有効表示領域を覆うように設けられて、当該基板に支持されるものであれば、何等限定されるものでない。すなわち、本発明の被支持部には、表示素子（の表示面）の機能を向上させるための部材や装置の部品などが含まれている。
【００７２】
より具体的にいえば、被支持部には、例えば有効表示領域の輝度上昇を行わせるプリズムシートや有効表示領域の表示品位を高めるための拡散シート等を含めることができる。
【００７３】
また、上記の説明では、アレイ基板の一辺の縁部に実装された駆動用ＩＣ及びＦＰＣの端部を有する表示素子について説明したが、本発明の電気部品は一対の一方の基板の周縁部に実装されて、上記表示面を画素単位に駆動するものであれば何等限定されるものではない。
【００７４】
具体的には、本発明の電気部品には、例えばアレイ基板の二辺の縁部に分けて実装される上記ＴＦＴのゲート駆動用ＩＣ及びソース駆動用ＩＣを含めることができる。
【００７５】
また、上記の説明では、他方の基板を厚さ方向に貫通することによって形成された収容空間を用いた場合について説明したが、本発明の収容空間は一方の基板上に実装された電気部品を収容可能に構成されたものであればよく、有底状の凹部や溝部によって収容空間を構成することもできる。
【００７６】
但し、上記実施形態のように、基板厚さ方向に貫通した貫通部や切り欠き部を収容空間に使用する場合の方が、上記電気部品が他方の基板に接触するのを防ぐことが可能となり、基板との接触による損傷が電気部品に生じるのを確実に防ぐことができる点で好ましい。
【００７７】
また、上記の説明では、アクリル樹脂などの合成樹脂を用いた基板について説明したが、本発明の基板はこれに限定されるものではなく、ガラス材製の基板を使用することもできる。尚、このようなガラス材製の基板を使用する場合には、ケミカルエッチングや機械的エッチングを用いて上記収容空間を形成する場合の方が当該収容空間を精度よく形成できる点で好ましい。
【００７８】
但し、上記実施形態のように、合成樹脂製の基板を使用する場合の方が、高精度な収容空間を容易に、かつコスト安価に形成することが可能となり、表示素子のコストダウンを簡単に行える点で好ましい。
【００７９】
また、合成樹脂製の基板を使用する場合には、金型を用いた射出成型法により、収容空間を有する基板を構成することができる。このような射出成形法を利用する場合には、さらに高精度な収容空間を容易に設けることが可能となる。
【図面の簡単な説明】
【００８０】
【図１】本発明の第１の実施形態にかかる表示素子、及び液晶表示装置を説明する図である。
【図２】上記表示素子の要部構成を示す斜視図である。
【図３】（ａ）は図２のIIIａ−IIIａ線断面図であり、（ｂ）は図２のIIIｂ−IIIｂ線断面図である。
【図４】上記表示素子の効果を説明する図である。
【図５】本発明の第２の実施形態にかかる表示素子を用いた液晶表示装置の要部構成を説明する説明図である。
【図６】本発明の第３の実施形態にかかる表示素子の要部構成を示す斜視図である。
【図７】従来の表示素子での問題点を説明する図である。
【符号の説明】
【００８１】
１  液晶表示装置（電気機器）
２  液晶パネル（表示素子、表示部）
４  ＣＦ基板（一対の（他方の）基板）
４ａ  貫通部（収容空間）
４ｂ  切り欠き部（収容空間）
４ｃ、４ｄ  柱部（支持領域）
４ｆ  切り欠き部（収容空間）
５  アレイ基板（一対の（一方の）基板）
６、７  偏光板（被支持部）
８  ＦＰＣ（電気部品）
１１  ケース
１５  駆動用ＩＣ（電気部品）
１６  タッチパネル（被支持部）
【図１】
2007334133.tif 000003
【図２】
2007334133.tif 000004
【図３】
2007334133.tif 000005
【図４】
2007334133.tif 000006
【図５】
2007334133.tif 000007
【図６】
2007334133.tif 000008
【図７】
2007334133.tif 000009